(57)【要約】【課題】遠隔操作装置の受信性能を向上させることができる扇風機を提供することを課題とする。【解決手段】ベース部２とベース部２の上方に立設した支柱部３とを有するスタンド４と、スタンド４の上方に位置する送風部１２と、遠隔操作装置からの送信信号を受信する受信部１７とを備え、受信部１７をスタンド４の支柱部３に配置すると共に、受信部１７を覆うカバー２０を支柱部３に装着する。また、受信部３を覆うカバー２０を係合手段２２により支柱部３に装着すると共に、支柱部３内の係合手段２２に隣接する位置に突部２８を形成する。【選択図】        図１
2004300989.tif 000002
【特許請求の範囲】
【請求項１】
ベース部とベース部の上方に立設した支柱部とを有するスタンドと、該スタンドの上方に位置する送風部と、遠隔操作装置からの送信信号を受信する受信部とを備え、前記受信部をスタンドの支柱部に配置すると共に、受信部を覆うカバーを支柱部に装着したことを特徴とする扇風機。
【請求項２】
ベース部とベース部の上方に立設した支柱部とを有するスタンドと、該スタンドの支柱部内を上下動自在にスライドするスライドパイプと、該スライドパイプの上方に位置する送風部と、前記スタンド内に配置され、送風部を制御する制御基板と、前記スライドパイプ内を通り前記制御基板と送風部とを電気的に接続する給電線と、遠隔操作装置からの送信信号を受信する受信部とを備え、前記受信部をスタンドの支柱部に配置し、受信部を覆うカバーを係合手段により支柱部に装着すると共に、支柱部内の前記係合手段に隣接する位置に突部を形成したことを特徴とする扇風機。
【請求項３】
前記係合手段と突部との間隔を、前記給電線の直径より狭くしたことを特徴とする請求項２記載の扇風機。
【請求項４】
前記係合手段を、カバーに形成した爪部と支柱部に形成した前記爪部が係合する被係合部とで構成すると共に、前記突部を、被係合部からスライドパイプに向かって爪部の先端を越えて突出する突条により構成したことを特徴とする請求項２または請求項３記載の扇風機。
【請求項５】
前記突条を、スライドパイプのスライド方向に平行且つスライド方向に前記爪部より幅広な突条で構成したことを特徴とする請求項４記載の扇風機。
【請求項６】
前記突条をスライドパイプに近接させたことを特徴とする請求項５記載の扇風機。
【請求項７】
前記突条の下端を弧状に形成したことを特徴とする請求項５記載の扇風機。
【請求項８】
前記スタンドの支柱部とベース部との境界部分にマイナスイオンを発生させるイオン発生装置を配置すると共に、前記カバーによりイオン発生装置を覆ったことを特徴とする請求項１または請求項２記載の扇風機。
【発明の詳細な説明】
【０００１】
【発明の属する技術分野】
本発明は、遠隔操作装置を有する扇風機に関する。
【０００２】
【従来の技術】
この種の扇風機においては、遠隔操作装置からの送信信号を受信する受光部は、スタンドのベース部内に上方に向けて配置されており、受光部を覆うカバーに突出部を形成し、遠隔操作装置からの送信信号を突出部により略９０度屈曲させて受光部に向けるようにしたものがある。（例えば、特許文献１参照）
【０００３】
【特許文献１】
実願平５−２３５１９号（実開平６―７６６８７）のＣＤ−ＲＯＭ（第５頁、第１図）
【０００４】
【発明が解決しようとする課題】
しかしながら、遠隔操作装置からの送信信号は、カバーの突出部を透過してしまったり、カバーの突出部により受光部以外の方向に乱反射するため、受光部に向かって屈曲する送信信号は少なく受信性能は悪いものである。
【０００５】
従って、遠方からの遠隔操作装置からの送信信号を受信でき難くなる欠点があった。
【０００６】
本発明はこのような課題を解決するためになされたものであり、遠隔操作装置からの受信性能を向上させることができる扇風機を提供することを課題とする。
【０００７】
【課題を解決するための手段】
上記課題を解決するための第１の手段は、ベース部とベース部の上方に立設した支柱部とを有するスタンドと、該スタンドの上方に位置する送風部と、遠隔操作装置からの送信信号を受信する受信部とを備え、前記受信部をスタンドの支柱部に配置すると共に、受信部を覆うカバーを支柱部に装着したことを特徴とする。
【０００８】
上記課題を解決するための第２の手段は、ベース部とベース部の上方に立設した支柱部とを有するスタンドと、該スタンドの支柱部内を上下動自在にスライドするスライドパイプと、該スライドパイプの上方に位置する送風部と、前記スタンド内に配置され、送風部を制御する制御基板と、前記スライドパイプ内を通り前記制御基板と送風部とを電気的に接続する給電線と、遠隔操作装置からの送信信号を受信する受信部とを備え、前記受信部をスタンドの支柱部に配置し、受信部を覆うカバーを係合手段により支柱部に装着すると共に、支柱部内の前記係合手段に隣接する位置に突部を形成したことを特徴とする。
【０００９】
上記課題を解決するための第２の手段において、前記係合手段と突部との間隔を、前記給電線の直径より狭くすることが好ましい。
【００１０】
上記課題を解決するための第２の手段において、前記係合手段を、カバーに形成した爪部と支柱部に形成した前記爪部が係合する被係合部とで構成すると共に、前記突部を、被係合部からスライドパイプに向かって爪部の先端を越えて突出する突条により構成することが好ましい。
【００１１】
上記課題を解決するための第２の手段において、前記突条を、スライドパイプのスライド方向に平行且つスライド方向に前記爪部より幅広な突条で構成することが好ましい。
【００１２】
上記課題を解決するための第２の手段において、前記突条をスライドパイプに近接させたことが好ましい。
【００１３】
上記課題を解決するための第２の手段において、前記突条の下端を弧状に形成することが好ましい。
【００１４】
上記課題を解決するための第１の手段または第２の手段において、前記スタンドの支柱部とベース部との境界部分にマイナスイオンを発生させるイオン発生装置を配置すると共に、前記カバーによりイオン発生装置を覆うことが好ましい。
【００１５】
【発明の実施の形態】
本発明の一実施の形態を図面に基づいて説明する。
【００１６】
１はスタンドベースで、ベース部２とベース部２から上方に立設された支柱部３とを有するスタンド４を載置している。５は前記スタンド４をスタンドベース１に固定する固定部材である（図３参照）。
【００１７】
６は前記支柱部３内を上下自在にスライドするスライドパイプで、該スライドパイプ６上端にはネックピース７を介してモータ８、該モータ８により回転するファン９、該ファン９を覆う前ガード１０及び後ガード１１からなる送風部１２が載置されている。
【００１８】
１３は前記ベース部２内に配置された制御基板で（図６参照）、前記送風部１２のモータ８を制御するようになっている。１４は前記制御基板１３上方の前記ベース部２に形成された操作部で、該操作部１４の操作により制御基板１３に直接信号を入力することにより、前記モータ８の回転数を調整できるようになっている。
【００１９】
１５は給電線で（図７参照）、前記スライドパイプ６内を通ると共に、制御基板１３とモータ８とを電気的に接続している。１６は前記支柱部３内に配置された受光基板で（図６参照）、図示しない遠隔操作装置からの信号を受信する受光部１７を有しており、該受光部１７が受信した信号を前記制御基板１３に伝達するようになっている。
【００２０】
１８はマイナスイオンを発生させるイオン発生装置で、イオン吹出口１９を斜め前方上方に向けて、前記スタンド４の支柱部３とベース部２の境界部分に配置されている。
【００２１】
前記イオン吹出口１９を斜め前方上方に向けている理由は、イオン吹出口１９を真上に向けた場合は、発生したマイナスイオンが支柱部３に吸着してしまい、マイナスイオン量が減少したり、また、イオン吹出口１９を真横にした場合は、マイナスイオンは水平方向に流れるため、ファン９の送風の影響を受けづらく、マイナスイオンの拡散に不利になるためである。
【００２２】
本実施の形態においては、イオン吹出口１９を斜め前方上方に向けているため、斜め上方前方に流れたマイナスイオンはファン９の風に乗り部屋中に効率よく拡散される。
【００２３】
また、イオン発生装置１８はスタンド４の支柱部３とベース部２との境界部分であるデッドスペースに配置しているため、構成を簡素化することができると共に、イオン吹出口１９を斜め前方上方に向けるためにベース部２を突設させる必要もなく、外観を損なうことはない。
【００２４】
さらに、イオン発生装置１８をスタンド４の支柱部３とベース部２との境界部分に配置することにより、支柱部３に配置した受光基板１６とベース部２に配置した制御基板１３との絶縁距離を効率的に保持することができる。
【００２５】
２０はカバーで、前記受光基板１６及びイオン発生装置１８を覆うと共に、イオン吹出口１９に対応する位置に開口部２１を有している。２２は前記カバー２０に形成された一対の爪部で、支柱部３に設けられた開口２３から挿入され、爪部２２が支柱部３に形成された被係合部２４に係合するようになっている。２５は前記カバー２０に設けられた突出部で（図４参照）、ベース部２に設けられた凹部２６（図５参照）に挿入され、ベース部２裏面からベース部２を介して突出部２５に螺子２７（図１、２、６参照）で固定することによりカバー２０をスタンド４に取付けるようになっている。
【００２６】
このように、スタンド４の支柱部３に受光部１７を配置し、遠隔操作装置からの信号を屈曲させることなく直接受信する構成にすることにより、受信性能を向上させている。
【００２７】
しかしながら、一般的に受信部を覆うカバー２０は、図８に示す如く、爪部２２等の係合手段にて装着されるため、カバー２０を支柱部３に装着すると、カバー２０の爪部２２は支柱部３内に突出する。
【００２８】
スタンド４の支柱部３内には上下動自在にスライドするスライドパイプ６が備えられており、スライドパイプ６内を通る給電線１５により送風部と送風部を制御する制御基板とは電気的に接続されている。
【００２９】
従って、スライドパイプ６をスライドさせて送風部を下げた時、スタンド４内で給電線１５が弛んで丸まるため、スライドパイプ６を上げた際に、丸まった給電線１５がカバー２０の爪部２２に絡み付き、爪部２２のエッジにより給電線１５が破損したり、給電線１５が爪部２２に絡み付いたままの状態となり、スライドパイプ６のスライド操作に支障が生じる虞がある。
【００３０】
そこで、より好ましい実施の形態を以下に詳述する。
【００３１】
２８は前記スタンド４の支柱部３内に形成された一対の突条で（図７参照）、先端が前記被係合部２４からスライドパイプに向かってスライドパイプに近接する位置まで延設されると共に、カバー２０に形成された爪部２２との間隔が、給電線１５の直径より狭くなる位置に形成されている。また、前記突条２８はスライドパイプ６のスライド方向にも前記爪部２２よりも十分幅広に延設されており、下端には弧状部２９が形成されている。
【００３２】
前記爪部２２との間隔が給電線１５の直径より狭くなる位置に突条２８を形成することにより、スライドパイプ６が上下方向にスライドする際に、給電線１５の爪部２２への移動を阻止して給電線１５が爪部２２に絡み付くことが防止でき、爪部２２のエッジにより給電線１５が破損したり、給電線１５が爪部２２に絡み付いたままの状態となり、スライドパイプ６のスライド操作に支障が生じることはない。
【００３３】
また、前記突条２８の先端はスライドパイプ６に近接しているため、突条２８はスライドパイプ６がスライドする際のガイドとなり、安定したスライド操作が行えるようになっている。
【００３４】
さらに、突条２８の下端に弧状部２９（図１，１３参照）を設けているため、スライドパイプ６を上方にスライドさせる際、給電線６が突条２８に引っ掛かることはなく、スライドパイプ６のスライド操作に支障が生じることはない。
【００３５】
また、前記突条２８を、爪部２２が係合する被係合部２４から延設しているため、被係合部２４の強度を突条２８により向上させることができ、カバー２０を支柱部３にがたつくことなく確実に装着することができる。
【００３６】
さらに、イオン発生装置１８を前記カバー２０により覆っているため、受光基板１６及びイオン発生装置１８を覆うカバーを兼用することができ、構成を簡素化することができる。
【００３７】
尚、本実施の形態においては、一対の突条２８を設けることにより給電線１５の爪部２２への移動を阻止して、給電線１５が爪部２２に絡み付くことを防止したが、突条２８に代えて、例えば、爪部２２より幅広で爪部２２先端より突出する弧状の突部等の他の形態の突部を設けることにより、給電線１５が爪部２２に絡み付くことを防止する構成にしてもよい。
【００３８】
また、本実施の形態においては、カバー２０を支柱部３に装着する際の係合手段としてカバー２０に爪部２２を形成すると共に、支柱部３に被係合部２４を形成したが、これに限定されるものではなく、例えば、支柱部３に突出部を形成し、カバー２０を介して突出部に螺子を螺合させることにより、カバー２０を支柱部３に装着する等の他の形態の係合手段により構成してもよい。
【００３９】
【発明の効果】
本発明の請求項１の構成によれば、遠隔操作装置の受信性能を向上させることができる等の効果を奏する。
【００４０】
本発明の請求項２の構成によれば、遠隔操作装置の受信性能を向上させることができると共に、カバーの係合手段に給電線が絡み付くことを防止することができ、給電線の破損や、スライドパイプのスライド操作に支障が生じることを防止できる等の効果を奏する。
【００４１】
本発明の請求項３の構成によれば、係合手段と突部との間隔が、給電線の直径より狭くなっているため、カバーの係合手段に給電線が絡み付くことを確実に防止することができ、給電線の破損や、スライドパイプのスライド操作に支障が生じることを確実に防止できる等の効果を奏する。
【００４２】
本発明の請求項４の構成によれば、爪部に係合する被係合部の強度を向上させることができ、カバーを支柱部に確実に装着することができる等の効果を奏する。
【００４３】
本発明の請求項５の構成によれば、カバーの係合手段に給電線が絡み付くことを防止することができ、給電線の破損や、スライドパイプのスライド操作に支障が生じることを防止できる等の効果を奏する。
【００４４】
本発明の請求項６の構成によれば、突条によりスライドパイプをガイドすることができ、安定したスライドパイプのスライド操作を行うことができる等の効果を奏する。
【００４５】
本発明の請求項７の構成によれば、スライドパイプを上方にスライドさせる際、給電線が突条に絡み付くことがなく、安定したスライドパイプのスライド操作を行うことができる等の効果を奏する。
【００４６】
本発明の請求項８の構成によれば、イオン発生装置をデッドスペースに配置することができると共に、受光基板及びイオン発生装置を覆うカバーを兼用することができ、構成を簡素化することができる等の効果を奏する。
【図面の簡単な説明】
【図１】本発明の一実施形態の扇風機の側面図である。
【図２】同扇風機の支柱部及びベース部の正面図である。
【図３】同支柱部及びベース部の側断面図である。
【図４】同扇風機の受光基板を覆うカバーの斜視図である。
【図５】同扇風機のスタンドの斜視図である。
【図６】同スタンドの側断面図であって、スライドパイプがスライドした状態を示す図である。
【図７】図６におけるＡ―Ａ断面図である。
【図８】突条がない場合の扇風機のスタンドの水平断面図である（断面Ａ−Ａ）。
【符号の説明】
２      ベース部
３          支柱部
４            スタンド
６      スライドパイプ
１２    送風部
１３    制御基板
１５    給電線
１６    受信基板（受信部）
２０    カバー
２２    係合手段
２８    突条（突部）
【図１】
2004300989.tif 000003
【図２】
2004300989.tif 000004
【図３】
2004300989.tif 000005
【図４】
2004300989.tif 000006
【図５】
2004300989.tif 000007
【図６】
2004300989.tif 000008
【図７】
2004300989.tif 000009
【図８】
2004300989.tif 000010